(57)【要約】【課題】培養水槽内への雑菌の侵入を防止し、発生した懸濁物の除去を容易にするとともに、作業内容の共有化・定型化を可能にしたワムシ培養装置を提供する。【解決手段】ワムシを培養する培養水槽１と、培養水槽１に海水を供給する海水供給手段１０，１１と、培養水槽１に淡水を供給する淡水供給手段２０，２１と、培養水槽１に空気を供給する空気供給手段３０，３１と、培養水槽１に酸素を供給する酸素供給手段４０，４１とを有するワムシ培養装置１００であって、培養水槽１に供給される海水、淡水、空気及び酸素を殺菌する紫外線殺菌手段１２，２２，３２，４２を設けた。【選択図】図１
0003197993.tif 000002
【実用新案登録請求の範囲】
【請求項１】
ワムシを培養する培養水槽と、前記培養水槽に海水を供給する海水供給手段と、前記培養水槽に淡水を供給する淡水供給手段と、前記培養水槽に空気を供給する空気供給手段と、前記培養水槽に酸素を供給する酸素供給手段とを有するワムシ培養装置であって、
前記培養水槽に供給される海水、淡水、空気及び酸素を殺菌する紫外線殺菌手段を設けたことを特徴とするワムシ培養装置。
【請求項２】
前記培養水槽を周囲から加温する加温手段を設けたことを特徴とする請求項１に記載のワムシ培養装置。
【請求項３】
前記培養水槽内の懸濁物を浮上させて除去する懸濁物除去手段を設けたことを特徴とする請求項１又は請求項２に記載のワムシ培養装置。
【請求項４】
前記培養水槽の作業記録を管理する管理手段を設けたことを特徴とする請求項１乃至請求項３のうちいずれか１つに記載のワムシ培養装置。
【考案の詳細な説明】
【技術分野】
【０００１】
本考案は、養魚用餌料生物であるワムシを培養するワムシ培養装置に関するものである。
【背景技術】
【０００２】
従来、魚介類を養殖する際の餌料としてワムシが用いられており、ワムシを培養するための種々の装置が提案されている。例えば、特許文献１には、ワムシ等の養魚用餌料生物を培養水槽にて培養する培養工程、各水槽を洗浄する洗浄工程、及び、培養した養魚用餌料生物を濃縮洗浄水槽にて濃縮する濃縮工程を、一連に自動実行させるようにした養魚用餌料生物の自動培養・給餌システムに関する発明が記載されている。
【０００３】
特許文献１に記載された養魚用餌料生物の自動培養・給餌システムでは、培養水槽に対して、海水供給管により加温海水を、上水供給管により加温上水を、圧縮空気供給管により圧縮空気を、酸素供給管により濃縮酸素を、それぞれ供給するようになっている。また、培養水槽内に温度センサ及びヒータを設けて、水槽内の培養液の温度を培養に適した温度で一定に維持するようになっている。さらに、培養水槽内に付着した汚れを、回転する洗浄ブラシで洗浄するようになっている。
【先行技術文献】
【特許文献】
【０００４】
【特許文献１】特開２０００−２３５９４号公報
【考案の概要】
【考案が解決しようとする課題】
【０００５】
しかしながら、特許文献１に記載された発明のように、培養水槽に対して、海水、上水（淡水）、空気及び酸素をそのまま供給した場合には、これらを媒体として雑菌が培養水槽内に侵入して繁殖し、ワムシの生育に悪影響を与えてしまう。そのため、できるだけ雑菌を除いた状態で供給することが望まれる。この点、海水は元々雑菌が多いことから紫外線等による殺菌が行われることもあるが、上水（淡水）は比較的きれいなことから殺菌は行われていない。また、空気や酸素の殺菌も行われていない。従って、上水（淡水）、空気及び酸素を媒体とした、雑菌の培養水槽内への侵入に対する対策が不足している。
【０００６】
また、培養水槽内の培養液の温度を培養に適した温度で一定に維持するために、ヒータを設けた場合には、水槽内にヒータを入れることによる雑菌の侵入や、ヒータに水槽内の懸濁物が付着するという問題がある。
【０００７】
また、培養水槽内に付着した汚れを、回転する洗浄ブラシで洗浄する場合には、装置が複雑になるとともに、培養中には洗浄することができないため、培養中に水槽内がどんどん汚れてしまうという問題がある。
【０００８】
また、培養液の温度管理や懸濁物の除去等により、培養水槽内の環境を整えてワムシの生育を促進するためには、担当者の作業経験に頼る部分が大きく、作業内容をいかに共有化・定型化するかが問題となる。
【０００９】
本考案は、上記従来の課題を解決するものであり、培養水槽内への雑菌の侵入を防止し、発生した懸濁物の除去を容易にするとともに、作業内容の共有化・定型化を可能にしたワムシ培養装置を提供するものである。
【課題を解決するための手段】
【００１０】
上記課題を解決するため、本考案のワムシ培養装置は、ワムシを培養する培養水槽と、前記培養水槽に海水を供給する海水供給手段と、前記培養水槽に淡水を供給する淡水供給手段と、前記培養水槽に空気を供給する空気供給手段と、前記培養水槽に酸素を供給する酸素供給手段とを有するワムシ培養装置であって、前記培養水槽に供給される海水、淡水、空気及び酸素を殺菌する紫外線殺菌手段を設けたことを特徴とする。
【００１１】
また好ましくは、前記培養水槽を周囲から加温する加温手段を設けたことを特徴とする。
【００１２】
また好ましくは、前記培養水槽内の懸濁物を浮上させて除去する懸濁物除去手段を設けたことを特徴とする。
【００１３】
また好ましくは、前記培養水槽の作業記録を管理する管理手段を設けたことを特徴とする。
【考案の効果】
【００１４】
本考案のワムシ培養装置は、ワムシを培養する培養水槽と、培養水槽に海水を供給する海水供給手段と、培養水槽に淡水を供給する淡水供給手段と、培養水槽に空気を供給する空気供給手段と、培養水槽に酸素を供給する酸素供給手段とを有している。そして、培養水槽に供給される海水、淡水、空気及び酸素を殺菌する紫外線殺菌手段を設けたので、海水、淡水、空気及び酸素を媒体とした水槽内への雑菌の侵入を防止することができる。
【００１５】
また、培養水槽を周囲から加温する加温手段を設けた場合には、水槽内にヒータを入れる必要がないため、ヒータを入れることによる雑菌の侵入や、ヒータへの水槽内の懸濁物の付着を防止することができる。
【００１６】
また、培養水槽内の懸濁物を浮上させて除去する懸濁物除去手段を設けた場合には、培養水槽内への懸濁物の付着を防止するとともに、培養中であっても水槽内を浄化することができる。
【００１７】
また、培養水槽の作業記録を管理する管理手段を設けた場合には、作業内容を共有化・定型化して、経験の少ない担当者であっても培養水槽内の環境を的確に整えることができる。
【００１８】
以上、本考案によれば、培養水槽内への雑菌の侵入を防止し、発生した懸濁物の除去を容易にするとともに、作業内容の共有化・定型化を可能にしたワムシ培養装置を提供することができる。
【図面の簡単な説明】
【００１９】
【図１】本考案の実施形態に係るワムシ培養装置の構成図である。
【図２】ワムシ培養装置の組立図である。
【図３】ワムシ培養装置の培養水槽内を示す断面図である。
【図４】他の実施形態に係る加温手段の説明図である。
【図５】管理手段の説明図である。
【考案を実施するための形態】
【００２０】
次に、図１乃至図５を参照して、本考案の実施形態に係るワムシ培養装置について説明する。本考案のワムシ培養装置は、魚介類を養殖するための餌料としてのワムシを培養するための装置である。
【００２１】
図１に示すように、本実施形態に係るワムシ培養装置１００は、内部に培養水を貯留してワムシを培養する培養水槽１を有している。培養水槽１には、海水供給ポンプ１０及び海水供給管１１からなる海水供給手段により海水が供給され、淡水供給ポンプ２０及び淡水供給管２１からなる淡水供給手段により淡水が供給され、エアーコンプレッサー３０及び空気供給管３１からなる空気供給手段により空気が供給され、酸素発生装置４０及び酸素供給管４１からなる酸素供給手段により酸素が供給されるようになっている。
【００２２】
海水及び淡水は、およそ２：１の割合で培養水槽１に供給されて、ワムシが生育するための培養水となる。また、酸素供給により培養水内の溶存酸素不足を解消するとともに、空気供給により培養水槽内を撹拌する。なお、海水は、予めフィルター等により濾過されるようになっている。
【００２３】
海水供給管１１の途中には紫外線殺菌装置１２が設けられており、培養水槽１に供給される海水を殺菌するようになっている。また、淡水供給管２１の途中には紫外線殺菌装置２２が設けられており、培養水槽１に供給される淡水を殺菌するようになっている。また、空気供給管３１の途中には紫外線殺菌装置３２が設けられており、培養水槽１に供給される空気を殺菌するようになっている。また、酸素供給管４１の途中には紫外線殺菌装置４２が設けられており、培養水槽１に供給される酸素を殺菌するようになっている。なお、紫外線殺菌装置は、本実施形態のように、海水、淡水、空気及び酸素ごとに４つ設けることが好ましいが、１つの紫外線殺菌装置により海水、淡水、空気及び酸素のすべてを殺菌するように構成することもできる。
【００２４】
このように、培養水槽１に供給される海水、淡水、空気及び酸素は、すべて紫外線殺菌装置により殺菌されるようになっている。紫外線殺菌装置１２，２２，３２，４２の紫外線照射量は、３００，０００μＷｓ／ｃｍ２以上とすることが好ましい。また、培養水槽が多数設置されている場合には、培養水槽ごとに紫外線殺菌装置を独立して設け、培養水槽の使用状況に合わせて必要な装置のみ稼働させるようにすることが好ましい。
【００２５】
培養水槽１には、水槽内の培養水の温度を測定するための水温感知器５０が設けられている。また水槽内には、給餌管６０からワムシの餌となる植物プランクトン（淡水クロレラ）が供給されるようになっている。
【００２６】
培養水槽１の下方には、加温タンク２、架台３が配置されており、図２の組立図に示すように、下から架台３、加温タンク２、培養水槽１の順に組み立てられている。
【００２７】
加温タンク２は、培養水槽１の下部を収容する例えばＦＲＰ製の容器であり、温水管６，７が接続されて内部に温水を循環させるようになっている。そして温水により培養水槽１を周囲から加温する加温手段となっている。
【００２８】
架台３は、培養水槽１及び加温タンク２を下方から支持するアルミ製やＦＲＰ製の枠材である。
【００２９】
培養水槽１の底部には、移送管４及びバルブ５が接続されており、水槽内で生育したワムシを含む培養水が図示しないワムシ収穫水槽に流入し、ワムシが収穫ネットで収穫される。収穫されたワムシは、さらに栄養強化された後、魚介類に給餌される。
【００３０】
次に、図３の断面図を参照して、培養水槽１の内部について詳細に説明する。培養水槽１内には、海水供給管１１から供給される紫外線殺菌済の海水と、淡水供給管２１から供給される紫外線殺菌済の淡水とからなる培養水Ｗ１が貯留されている。また、培養水Ｗ１の温度は、センサ５１を培養水Ｗ１中に配置した水温感知器５０により常時測定されている。
【００３１】
加温タンク２の内部には、温水管６，７を経由して外部から温水Ｗ２が供給されて、循環するようになっている。そして、水温感知器５０により測定される培養水Ｗ１の温度が、培養に適した温度（例えば２８℃）に維持されるように、電磁弁等を自動操作して温水供給を制御するようになっている。
【００３２】
なお、培養水槽１を周囲から加温する加温手段は、加温タンクに限定されるものではない。例えば、図４に示すように、培養水槽１の周囲に温水管８０を巻き付けて、その周りを保温材９０で覆うようにしてもよい。
【００３３】
培養水槽１の培養水Ｗ１中には、空気供給管３１先端のエアーストーン３３及び酸素供給管４１先端のエアーストーン４３が配置されて、紫外線殺菌済の空気及び紫外線殺菌済の酸素が培養水Ｗ１中に供給されるようになっている。
【００３４】
ここで、培養水Ｗ１の温度は２８℃と高温であり、ワムシの培養によって粘着性のある油脂を含んだ溶液となって、水槽内に懸濁物が発生する。培養水槽１に供給する海水、淡水、空気及び酸素をすべて紫外線殺菌したとしても、水槽内での懸濁物の発生を完全になくすことはできず、水槽内に発生した懸濁物はワムシ培養の妨げになってしまう。
【００３５】
そこで、本実施形態においては、培養水槽１内の懸濁物を浮上させて除去する懸濁物除去手段を設けている。すなわち、培養水槽１には、吸収マット８が培養水Ｗ１の水面上に配置されている。エアーストーン３３から排出される空気による水槽内の撹拌により、懸濁物は泡状になって培養水Ｗ１の水面に浮上する。そして、水面に浮上した懸濁物７０を、吸収マット８により吸収・吸着して除去するようになっている。吸収マット８は、汚損状況に応じて適宜交換し洗浄する。
【００３６】
なお、培養水槽１内の懸濁物を浮上させて除去する懸濁物除去手段は、吸収マットに限定されるものではなく、例えばエアーにより吸引するようにしてもよい。また、懸濁物をうまく浮上させるために、エアーストーン３３から排出される空気の圧力を一時的に高めるようにしてもよい。
【００３７】
次に、図５を参照して、ワムシ培養装置１００の管理手段について説明する。図５は、例として５つの培養水槽Ａ〜Ｅを管理する管理装置９を示している。
【００３８】
管理装置９は、作業者が各培養水槽Ａ〜Ｅに対して実施した作業記録をデータベースに記録して管理するためのものであり、各水槽Ａ〜Ｅに対応した管理ブロック９Ａ〜９Ｅにより構成されており、各水槽Ａ〜Ｅの作業内容を管理することができるようになっている。管理装置９は、例えばタッチパネルによる入力操作を可能とし、作業記録をＳＤカード等の記録媒体に保存するよう構成することができる。
【００３９】
作業内容として管理される項目としては、各水槽Ａ〜Ｅにおける、海水、淡水、空気及び酸素の供給量、クロレラ給餌量、水温、飼育時間、ワムシ個体数、吸収マット交換等の様々な項目が挙げられる。また項目によって、各水槽Ａ〜Ｅから自動的に収集して入力するように構成することもできるし、作業者が手入力するように構成することもできる。入力された作業記録はデータベースに記録・管理され、作業者が交代した場合にも、記録された作業記録を確認することで作業内容を共有化・定型化することができる。
【００４０】
本実施形態に係るワムシ培養装置１００は、ワムシを培養する培養水槽１と、培養水槽１に海水を供給する海水供給手段１０，１１と、培養水槽１に淡水を供給する淡水供給手段２０，２１と、培養水槽１に空気を供給する空気供給手段３０，３１と、培養水槽１に酸素を供給する酸素供給手段４０，４１とを有している。そして、培養水槽１に供給される海水、淡水、空気及び酸素を殺菌する紫外線殺菌手段１２，２２，３２，４２を設けたので、海水、淡水、空気及び酸素を媒体とした水槽内への雑菌の侵入を防止することができる。
【００４１】
また、培養水槽１を周囲から加温する加温手段２を設けた場合には、水槽内にヒータを入れる必要がないため、ヒータを入れることによる雑菌の侵入や、ヒータへの水槽内の懸濁物の付着を防止することができる。
【００４２】
また、培養水槽１内の懸濁物を浮上させて除去する懸濁物除去手段８を設けた場合には、培養水槽１内への懸濁物の付着を防止するとともに、培養中であっても水槽内を浄化することができる。
【００４３】
また、培養水槽１の作業記録を管理する管理手段９を設けた場合には、作業内容を共有化・定型化して、経験の少ない担当者であっても培養水槽１内の環境を的確に整えることができる。
【００４４】
以上、本考案によれば、培養水槽内への雑菌の侵入を防止し、発生した懸濁物の除去を容易にするとともに、作業内容の共有化・定型化を可能にしたワムシ培養装置を提供することができる。
【符号の説明】
【００４５】
１  培養水槽
２  加温タンク
３  架台
４  移送管
５  バルブ
６  温水管
７  温水管
８  吸収マット
９  管理装置
１０  海水供給ポンプ
１１  海水供給管
１２  紫外線殺菌装置
２０  淡水供給ポンプ
２１  淡水供給管
２２  紫外線殺菌装置
３０  エアーコンプレッサー
３１  空気供給管
３２  紫外線殺菌装置
３３  エアーストーン
４０  酸素発生装置
４１  酸素供給管
４２  紫外線殺菌装置
４３  エアーストーン
５０  水温感知器
５１  センサ
６０  給餌管
７０  懸濁物
８０  温水管
９０  保温材
１００  ワムシ培養装置
【図１】
0003197993.tif 000003
【図２】
0003197993.tif 000004
【図３】
0003197993.tif 000005
【図４】
0003197993.tif 000006
【図５】
0003197993.tif 000007